(57)【要約】【課題】  外部の電子機器への電源を供給する線路に異常があっても、外部の電子機器への電源の供給以外のサービスが停止しない電子機器とする。【解決手段】  ＳＷ電源２１から出力される電源は、内蔵されているＲＦ増幅部２０に供給されていると共に、ＤＣ送電回路２２により入力端子２３ａから出力されて衛星放送受信用アンテナに動作電源として供給されている。ＤＣ送電回路２２は、入力端子２３ａから衛星放送受信アンテナを含む線路に異常があって過電流が流れた際に、過電流を抑制する過電流保護回路２２ａを有している。これにより、線路に過電流が流れた際に過電流保護回路２２ａにより過電流が抑制されて、ＳＷ電源２１の過電流保護回路２１ａは動作せずＲＦ増幅部２０には電源が供給し続けられるようになる。【選択図】  図２
2007335950.tif 000002
【特許請求の範囲】
【請求項１】
外部の電子機器から線路を介して供給される信号を処理する回路部と、
該回路部に動作用の電源を供給する電源部と、
該電源部から出力される電源を前記外部の電子機器へ前記線路を介して供給することが可能な送電回路とを備え、
前記送電回路は、前記線路に異常があって過電流が流れた際に、過電流を抑制するよう動作する過電流保護回路を有していることを特徴とする電子機器。
【請求項２】
前記送電回路には、上流の電子機器へ電源を供給するか否かを切り換える切換スイッチと、該切換スイッチの切換状態を表示する表示手段が設けられており、
前記表示手段は、前記過電流保護回路が動作したことも表示できるようにされていることを特徴とする請求項１記載の電子機器。
【請求項３】
前記電源部は、過電流が流れた際に定電力を供給するよう動作する電源保護回路を備えていることを特徴とする請求項１あるいは２記載の電子機器。
【発明の詳細な説明】
【技術分野】
【０００１】
本発明は、線路により接続されている外部の電子機器へ、動作用の電源を供給することができる電子機器に関する。
【背景技術】
【０００２】
衛星放送と他のサービス（ＣＡＴＶ，ＵＨＦ，ＶＨＦ等）を伝送する伝送システムにおいては、衛星放送受信アンテナやＵＨＦアンテナおよびＶＨＦアンテナが設けられており、これらのアンテナにおいて受信された各受信信号が混合されて伝送されている。この場合、衛星放送受信アンテナにはコンバータを動作させる直流電源が供給されているが、この直流電源は衛星放送受信アンテナから出力される高周波信号が伝播される同軸ケーブルから供給されるようになされている。すなわち、衛星放送受信アンテナが出力する高周波信号が供給されるブースタやチューナ等の電子機器が、外部の衛星放送受信アンテナに動作用の電源を供給している。
【発明の開示】
【発明が解決しようとする課題】
【０００３】
外部の衛星放送受信アンテナに動作用の電源を供給可能な従来のブースタ１１１の構成を図５に示す。図５に示すブースタ１１１はＲＦ増幅部１２０を内蔵しており、ＲＦ増幅部１２０は入力端子１２３ａから入力されたＩＦ信号を増幅して出力端子１２３ｂから出力している。ＩＦ信号は、入力端子１２３ａにケーブルを介して接続されているパラボラアンテナのコンバータから供給される衛星放送のＩＦ信号である。ＲＦ増幅部１２０には、内蔵されているスイッチング電源（ＳＷ電源）１２１から動作用の直流電源が供給されている。ＳＷ電源１２１は、電源プラグ１１１ａから供給される商用交流を直流電源に変換しており、ＳＷ電源１２１から出力される直流電源はＤＣ送電回路１２２にも供給されている。このＤＣ送電回路１２２はＳＷ電源１２１から供給される直流電源をＤＣ出力として入力端子１２３ａから出力している。入力端子１２３ａには、同軸ケーブルを介してパラボラアンテナが接続されており、入力端子１２３ａから出力されたＤＣ出力はパラボラアンテナのコンバータに動作用の電源として供給される。
【０００４】
このように、ブースタ１１１はＳＷ電源１２１を備えており、伝送線路の事故等によりＳＷ電源１２１から過電流が流れた際にＳＷ電源１２１を保護するための過電流保護回路１２１ａが設けられている。過電流保護回路１２１ａは、異常時にＳＷ電源１２１から供給される電力を定電力とすることによりＳＷ電源１２１を保護している。この場合、衛星放送受信用のパラボラアンテナとの間の同軸ケーブルや同軸接栓に短絡等の事故が発生して伝送線路に過電流が流れた場合は、ＳＷ電源１２１における過電流保護回路１２１ａが働くようになる。しかし、過電流保護回路１２１ａが動作しても、ＳＷ電源１２１からは定電力が供給され続けることから、短絡箇所に異常電流が流れ続けて短絡箇所が破損されるおそれがあるという問題点があった。さらに、ＳＷ電源１２１から定電力が供給され続けられることから、ＲＦ増幅部１２０は動作するものの定格通りには動作しないようになるという問題点があった。
【０００５】
そこで、本発明は外部の電子機器への電源を供給する線路に異常があっても、外部の電子機器への電源の供給以外のサービスが停止しない電子機器を提供することを目的としている。
【課題を解決するための手段】
【０００６】
上記目的を達成するために、本発明の電子機器は、回路部に動作用の電源を供給する電源部から出力される電源を外部の電子機器へ線路を介して供給することが可能な送電回路を備え、送電回路は、線路に異常があって過電流が流れた際に、過電流を抑制する過電流保護回路を有していることを最も主要な特徴としている。
【発明の効果】
【０００７】
本発明は、回路部に動作用の電源を供給する電源部から出力される電源を外部の電子機器へ線路を介して供給することが可能な送電回路を備え、送電回路は、線路に異常があって過電流が流れた際に、過電流を抑制する過電流保護回路を有していることから、外部の電子機器への電源を供給する線路に異常があっても、電源部からは回路部が定格通りに動作するに十分な電源を供給することができるようになる。
【発明を実施するための最良の形態】
【０００８】
本発明にかかる電子機器が適用される受信システムの構成を示すブロック図を図１に示す。
図１に示す受信システム１は、衛星放送と他のサービス（ＣＡＴＶ，ＵＨＦ，ＶＨＦ等）を伝送する伝送システムにおける衛星放送を受信する受信システムとされている。受信システム１は、衛星放送受信用のパラボラアンテナ１０を備え、パラボラアンテナ１０により受信された衛星放送受信信号はコンバータ１０ａにより中間周波数信号（ＩＦ信号）に変換されて出力される。ＩＦ信号はＢＳ放送では１２００ＭＨｚ帯、ＣＳ放送では１８００ＭＨｚ帯の高周波信号とされている。パラボラアンテナ１０には第１ブースタ１１および第２ブースタ１２がカスケード接続されており、パラボラアンテナ１０から出力されるＩＦ信号は、カスケード接続された第１ブースタ１１および第２ブースタ１２により増幅されて伝送されていくようになる。
【０００９】
この場合、第１ブースタ１１および第２ブースタ１２は本発明にかかる電子機器の一実施例であり、第１ブースタ１１は内蔵するＲＦ増幅部に電源を供給する電源部を備えている。そして、この電源部が出力する電源の一部はパラボラアンテナ１０のコンバータ１０ａに動作用の直流電源（ＤＣ）として供給されている。この場合、パラボラアンテナ１０と第１ブースタ１１とは同軸ケーブルを介して接続されており、第１ブースタ１１の入力端子とされる同軸接栓から出力された直流電源が同軸ケーブルを介してコンバータ１０ａに動作用の電源として供給されている。
また、第２ブースタ１２も内蔵するＲＦ増幅部に電源を供給する電源部を備えているが、図示する受信システム１ではこの電源部が出力する電源の一部をパラボラアンテナ１０等の他の電子機器に供給する必要はない。そこで、第２ブースタ１２においては内蔵する切換手段により、第２ブースタ１２から電源が出力されないように切り換えられている。
【００１０】
上述した本発明にかかる電子機器の実施例である第１ブースタ１１の構成を示すブロック図を図２に示す。なお、第１ブースタ１１および第２ブースタ１２は、同じ構成とされている。
第１ブースタ１１はＲＦ増幅部２０を内蔵しており、ＲＦ増幅部２０は入力端子２３ａから入力されたＩＦ信号を増幅して出力端子２３ｂから出力している。ＩＦ信号はパラボラアンテナ１０のコンバータ１０ａから供給される衛星放送のＩＦ信号である。ＲＦ増幅部２０には、内蔵されているスイッチング電源（ＳＷ電源）２１から動作用の直流電源が供給されている。ＳＷ電源２１は、電源プラグ１１ａから供給される商用交流を直流電源に変換しており、ＳＷ電源２１には過電流保護回路２１ａが備えられている。過電流保護回路２１ａは、ＳＷ電源２１に過電流が流れた際にＳＷ電源２１を保護するためＳＷ電源２１から供給される電力を定電力とすることによりＳＷ電源２１を保護するようにしている。また、ＳＷ電源２１から出力される直流電源はＤＣ送電回路２２にも供給されている。このＤＣ送電回路２２は、ＳＷ電源２１から供給される直流電源をＤＣ出力として入力端子２３ａから出力している。入力端子２３ａには、同軸ケーブルを介してパラボラアンテナ１０が接続されており、入力端子２３ａに供給されたＤＣ出力はパラボラアンテナ１０のコンバータ１０ａに動作用の電源として供給されるようになる。
【００１１】
ＤＣ送電回路２２は、過電流保護回路２２ａと切換スイッチ２２ｂおよび表示回路２２ｃとを有している。過電流保護回路２２ａは、ＤＣ送電回路２２が出力するＤＣ出力の経路に短絡等の障害が生じた際に流れる過電流を検出して、過電流を抑制する回路である。切換スイッチ２２ｂは、ＤＣ送電回路２２からＤＣ出力の供給／停止を切り換えられるスイッチである。また、表示回路２２ｃは、切換スイッチ２２ｂの切換状態を表示する表示回路である。ここで、第１ブースタ１１の入力端子２３ａからパラボラアンテナ１０までを含む経路上で短絡事故が発生したとすると、過電流保護回路２２ａに過電流が流れて過電流保護回路２２ａの等価抵抗が上昇するため過電流が抑制されるようになる。そして、ＤＣ出力の経路に短絡等の障害が生じていることから、電流保護回路２２ａの出力電圧はほぼゼロになる。これにより、短絡箇所に流れる異常電流は制限された電流値となって、短絡箇所が破損されることを防止することができるようになる。
【００１２】
なお、ＳＷ電源２１は上記した短絡事故が発生した際には、過電流保護回路２１ａが一時的に動作するようになるが、瞬時に、過電流保護回路２２ａも保護動作を開始してＤＣ出力に流れる電流値は制限されるようになる。これにより、ＳＷ電源２１の過電流保護回路２１ａは保護動作から正常動作に復帰するようになり、ＳＷ電源２１からはＲＦ増幅部２０が正常に動作するに十分な電力が供給され続けられるようになる。
【００１３】
次に、ＤＣ送電回路２２の構成を示す回路図の一例を図３に示す。
図３に示すＤＣ送電回路２２において、ＤＣ入力側にはＳＷ電源２１から出力される電源が入力され、ＤＣ出力側からはＤＣ出力が出力される。スイッチＳＷ１は、切換スイッチ２２ｂに相当しており、可動接点ａ１，ａ２を図示するように固定接点ｃ１，ｃ２に切り換えると、ＤＣ出力側からはＤＣ出力が出力されないようになって、外部の電子機器にＤＣ出力を供給しないようになる。また、可動接点ａ１，ａ２を固定接点ｂ１，ｂ２に切り換えると、ＤＣ出力側からＤＣ出力が出力されるようになって、外部の電子機器にＤＣ出力を供給できるようになる。正特性サーミスタＰＲは、過電流保護回路２２ａに相当しＤＣ出力側に短絡事故等により過電流が流れた際に、正特性サーミスタＰＲに流れる過電流により自己発熱して等価抵抗値が上昇するようになる。これにより、正特性サーミスタＰＲの両端間にＳＷ電源２１から出力される電源の電圧が印加されても、流れる過電流の電流値は制限されて、ＳＷ電源２１からはＲＦ増幅部２０が正常に動作するに十分な電力が供給され続けられるようになる。さらに、正特性サーミスタＰＲと可動接点ａ１との間とアース間に接続されている抵抗Ｒ１と発光ダイオードＬＥＤ１との直列回路は表示回路２２ｃに相当しており、ＤＣ送電回路２２にＳＷ電源２１から電源が供給されている際に点灯し、ＳＷ電源２１から電源が供給されたことが表示される。また、スイッチＳＷ１を固定接点ｂ１，ｂ２側に切り換えた際にＤＣ出力側に短絡事故等が発生した際には、正特性サーミスタＰＲのスイッチＳＷ１側の電位がほぼゼロになることから発光ダイオードＬＥＤ１は消灯して事故があったことが表示される。
【００１４】
次に、ＤＣ送電回路２２の構成を示す回路図の他の例を図４に示す。
図４に示す他のＤＣ送電回路２２’において、ＤＣ入力側にはＳＷ電源２１から出力される電源が入力され、ＤＣ出力側からはＤＣ出力が出力される。スイッチＳＷ２は、切換スイッチ２２ｂに相当しており、可動接点ａ１，ａ２を図示するように固定接点ｃ１，ｃ２に切り換えると、ＤＣ出力側からはＤＣ出力が出力されないようになる。また、可動接点ａ１，ａ２を固定接点ｂ１，ｂ２に切り換えると、ＤＣ出力側からＤＣ出力が出力されるようになる。正特性サーミスタＰＲは、過電流保護回路２２ａに相当しＤＣ出力側に短絡事故等により過電流が流れた際に、正特性サーミスタＰＲに流れる過電流により自己発熱して等価抵抗値が上昇するようになる。これにより、正特性サーミスタＰＲの両端間にＳＷ電源２１から出力される電源の電圧が印加されても、流れる過電流の電流値は制限されて、ＳＷ電源２１からはＲＦ増幅部２０が正常に動作するに十分な電力が供給され続けられるようになる。
【００１５】
さらに、正特性サーミスタＰＲと可動接点ａ１との間とアース間に接続されている抵抗Ｒ２と発光ダイオードＬＥＤ２との直列回路は表示回路２２ｃの一部を構成しており、ＤＣ送電回路２２’にＳＷ電源２１から電源が供給されている際に発光ダイオードＬＥＤ２が点灯し、ＳＷ電源２１から電源が供給されたことが表示される。また、固定接点ｂ２とアース間に接続されている抵抗Ｒ３と発光ダイオードＬＥＤ３との直列回路も表示回路２２ｃを構成している。この場合、可動接点ａ２はＤＣ入力側の端子に接続されており、スイッチＳＷ２を固定接点ｃ１，ｃ２側に切り換えてＤＣ出力側からＤＣ出力を出力するようにすると、可動接点ａ２−固定接点ｂ２を介して発光ダイオードＬＥＤ３に電源が供給されて点灯するようになる。このように、スイッチＳＷ２を固定接点ｃ１，ｃ２側に切り換えた際には発光ダイオードＬＥＤ２のみが点灯し、スイッチＳＷ２を固定接点ｂ１，ｂ２側に切り換えた際には発光ダイオードＬＥＤ２および発光ダイオードＬＥＤ３が共に点灯するようになる。そして、スイッチＳＷ２を固定接点ｂ１，ｂ２側に切り換えた状態において、ＤＣ出力側に短絡事故等が発生した際には、ＤＣ出力側の電位がほぼゼロになることから発光ダイオードＬＥＤ２は消灯するが、発光ダイオードＬＥＤ３は点灯し続けて事故があったことが表示される。なお、発光ダイオードＬＥＤ２の発光色は緑、発光ダイオードＬＥＤ３の発光色は赤にするのが好適とされる。そして、これらの発光ダイオードＬＥＤ２，ＬＥＤ３を２色発光ダイオードとすると、ＳＷ２が固定接点ｃ１，ｃ２側に切り換えられた際には２色発光ダイオードが緑色に点灯し、ＳＷ２を固定接点ｂ１．ｂ２に切り換えた際には２色発光ダイオードは橙色に点灯し、この際に事故が発生すると２色発光ダイオードは赤色に点灯して、それぞれの状態を点灯色で表示することができるようになる。
【産業上の利用可能性】
【００１６】
以上の説明では、本発明の電子機器はブースタとしたが、本発明はこれに限ることはなく衛星放送受信アンテナに電源を供給可能な衛星放送受信用のチューナや、このチューナを内蔵するテレビ受像器とすることができる。このように、本発明は、線路で接続されている外部の電子機器に電源を供給可能な一般的な電子機器に適用することができる。また、スイッチは機械的スイッチに限らず電子スイッチとしてもよく、発光ダイオードに替えて他の発光可能な表示素子を用いるようにしてもよい。
【図面の簡単な説明】
【００１７】
【図１】本発明にかかる電子機器が適用される受信システムの構成を示すブロック図である。
【図２】本発明にかかる電子機器の実施例である第１ブースタの構成を示すブロック図である。
【図３】本発明にかかる電子機器の実施例である第１ブースタにおけるＤＣ送電回路の構成を示す回路図の一例である。
【図４】本発明にかかる電子機器の実施例である第１ブースタにおけるＤＣ送電回路の構成を示す回路図の他の例である。
【図５】衛星放送受信アンテナに電源を供給可能な従来のブースタの構成を示すブロック図である。
【符号の説明】
【００１８】
１  受信システム、１０  パラボラアンテナ、１０ａ  コンバータ、１１  第１ブースタ、１１ａ  電源プラグ、１２  第２ブースタ、２０  増幅部、２１  ＳＷ電源、２１ａ  過電流保護回路、２２  ＤＣ送電回路、２２ａ  過電流保護回路、２２ｂ  切換スイッチ、２２ｃ  表示回路、２３ａ  入力端子、２３ｂ  出力端子、１１１  ブースタ、１１１ａ  電源プラグ、１２０  増幅部、１２１  ＳＷ電源、１２１ａ  過電流保護回路、１２２  ＤＣ送電回路、１２３ａ  入力端子、１２３ｂ  出力端子
【図１】
2007335950.tif 000003
【図２】
2007335950.tif 000004
【図３】
2007335950.tif 000005
【図４】
2007335950.tif 000006
【図５】
2007335950.tif 000007